(57)【特許請求の範囲】
【請求項１】
ＬＥＤ素子を含む灯具と、
前記灯具を覆う中空状のカバー部とを有し、
前記カバー部は、
当該カバー部の側面上において、当該カバー部の中心軸を囲むように周方向に延伸して設けられた溝部を有し、
前記灯具から発せられる光の少なくとも一部を透過し、外力が与えられると変形可能な材料で構成されており、
前記溝部の延伸方向に沿った線を基準として折り返し可能に構成されており、
前記カバー部は、当該カバー部の折り返しを解除した状態において、
前記中心軸方向に変位しても内径が実質的に同一な中空部を有する第一領域と、
前記第一領域と連結し、前記中心軸方向に関して前記第一領域から最も遠い位置における内径が、前記第一領域の内径よりも大きい中空部を有する第二領域とを有し、
前記灯具は、前記ＬＥＤ素子を含むＬＥＤモジュール又はＬＥＤ電球で構成され、前記カバー部の前記第一領域に位置する中空部内に固定的に収容されていることを特徴とするＬＥＤ照明装置。
【請求項２】
前記カバー部の折り返しを解除した状態において、前記溝部は、前記カバー部の側面のうち、外側に位置する面にのみ設けられていることを特徴とする請求項１に記載のＬＥＤ照明装置。
【請求項３】
前記溝部は、当該溝部が延伸する方向に沿って見たときにＲ形状を有して構成されていることを特徴とする請求項１又は２に記載のＬＥＤ照明装置。
【請求項４】
前記溝部は、前記カバー部の側面上において、前記カバー部の中心軸方向に離間された複数の箇所に設けられており、
それぞれの前記溝部が、相互に離間した状態で前記カバー部の中心軸を囲むように周方向に延伸していることを特徴とする請求項１〜３のいずれか１項に記載のＬＥＤ照明装置。
【請求項５】
前記カバー部は、当該カバー部の中心軸方向に関して前記灯具から最も離れた位置に設けられた前記溝部の延伸方向に沿った線を基準として折り返されると、折り返されることで外側に露出された側面によって全ての前記溝部が覆われることを特徴とする請求項４に記載のＬＥＤ照明装置。
【請求項６】
第一開口面と、前記第一開口面に対向し前記第一開口面よりも内径の大きい第二開口面とを含む中空状のシェード部を有し、
前記カバー部は、前記第二領域において、前記中心軸方向に関して前記第一領域から離れるに連れて中空部の内径が大きくなるように構成されており、
前記シェード部は、
前記灯具から発せられる光の少なくとも一部を反射する材料で構成されており、
前記第一開口面の内径が、前記第一領域に位置する前記カバー部の外径よりも大きく、前記第二領域に位置する前記カバー部の最も大きい外径よりは小さく、
前記第二開口面の内径が、前記第二領域に位置する前記カバー部の最も大きい外径より大きい構成であり、
前記シェード部の内側面が前記カバー部の前記第二領域内の外側面と接触し、前記シェード部と前記カバー部が一体的に保持されていることを特徴とする請求項１〜５のいずれか１項に記載のＬＥＤ照明装置。
【請求項７】
前記シェード部の前記第一開口面と前記第二開口面との間の対向する離間距離は、前記カバー部の中心軸方向に関する両端間距離よりも短いことを特徴とする請求項６に記載のＬＥＤ照明装置。
【請求項８】
前記カバー部の折り返しを解除した状態において、前記カバー部を、相対的に前記シェード部の前記第二開口面から前記第一開口面に向かう方向に挿通させると、前記シェード部の内側面が前記カバー部の前記第二領域内の外側面と安定的に接触する状態下において、前記シェード部の外側面によって前記カバー部に設けられた全ての前記溝部が覆われることを特徴とする請求項６又は７に記載のＬＥＤ照明装置。
【発明の詳細な説明】
【技術分野】
【０００１】
本発明は、ＬＥＤ照明装置に関する。
【背景技術】
【０００２】
近年、従来の蛍光ランプに代わり、光源としてＬＥＤを用いた照明装置が開発され、流通するようになってきている。例えば、下記特許文献１には、天井に吊り下げて使用される、いわゆるペンダント型のＬＥＤ照明装置が開示されている。
【先行技術文献】
【特許文献】
【０００３】
【特許文献１】特開２０１４−２１６２０９号公報
【発明の概要】
【発明が解決しようとする課題】
【０００４】
本発明は、利用者の使用用途に応じて、照明の程度や照明装置自体の形状を利用者側で変化させることのできる、新規なＬＥＤ照明装置を実現することを目的とする。
【課題を解決するための手段】
【０００５】
本発明のＬＥＤ照明装置は、
ＬＥＤ素子を含む灯具と、
前記灯具を覆う中空状のカバー部とを有し、
前記カバー部は、
当該カバー部の側面上において、当該カバー部の中心軸を囲むように周方向に延伸して設けられた溝部を有し、
前記灯具から発せられる光の少なくとも一部を透過し、外力が与えられると変形可能な材料で構成されており、
前記溝部の延伸方向に沿った線を基準として折り返し可能に構成されていることを特徴とする。
【０００６】
上記の構成によれば、利用者がカバー部を溝部に沿って折り返すことで、利用者の要求に応じて照明装置の形状を変化させることができる。このカバー部は、灯具から発せされる光の少なくとも一部を透過する構成であるため、カバー部の形状を変化させることで、カバー部を透過する光の向きや光量が代わり、照明の態様を変化させることができる。また、カバー部の折り返しを行った場合と折り返しがない場合とで、灯具からカバー部を透過せずに直接照射される光の発散角度を変えることができる。つまり、この構成によれば、一台の照明装置によって、装置自体の形状や照明の態様に関して高い自由度を持たせることができる。
【０００７】
カバー部は、外力が与えられると変形可能な材料で構成されており、例えば、シリコン樹脂の他、天然ゴム、合成天然ゴム、ブタジエンゴム、クロロプレンゴム、ウレタンゴム、エチレンプロピレンゴムといったゴム素材などを用いることができる。なお、ここでいう「変形可能」とは、ある程度の弾性を有した状態で変形可能なことを意味するものとして構わない。つまり、カバー部は、溝部によって構成される線を基準として折り返された場合には、この折り返し後の形状で固定されるが、他の箇所で折り曲げられても、再び元の形状に自然と復帰する性質を有するものとしても構わない。
【０００８】
カバー部は、中心軸方向に関して対向する２つの開口面を有するものとして構わない。この場合において、灯具から発せられる照明光のうち、一部の光はカバー部に入射されずに直接開口面を介して対象物に照射され、別の一部の光は、カバー部の側面を透過して対象物に照射されるものとすることができる。この場合、カバー部の折り返しを解除した状態と、折り返された状態とによって、対象物の照明の態様を変化させることができる。
【０００９】
前記カバー部の折り返しを解除した状態において、前記溝部は、前記カバー部の側面のうち、外側に位置する面にのみ設けられているものとしても構わない。
【００１０】
仮に、溝部がカバー部の内側の面に形成されている場合、カバー部の折り返しを解除した状態において、灯具から光を発すると、溝部のエッジ部が影となってカバー部に現れてしまう。この影の存在によって、利用者が求める照明態様が実現できない可能性も考えられる。上記の構成によれば、溝部がカバー部の外側の面に形成されているため、発光時にカバー部に溝部の影が全く又はほとんど現れることがない。これにより、灯具から発せられた光を対象物を照明させるために有効に利用することができる。
【００１１】
前記溝部は、当該溝部が延伸する方向に沿って見たときにＲ形状を有して構成されているものとしても構わない。
【００１２】
溝部を前記方向に沿って見たときにＶ形状を示す場合、カバー部の折り返しを繰り返すことで、折り返し線となる箇所の近傍に高い負荷がかかり、摩耗して場合によっては破断するおそれがある。上記のようにＲ形状を有する溝部としたことで、折り返し時に生じる応力が溝部の周辺に分散され、耐久性が向上する。
【００１３】
特に、Ｒ形状を有する溝部をカバー部の外側の側面に設けることで、カバー部を外側に向けて折り返した際、内側に位置するカバー部にはＲ形状が現れる反面、露出されている側に位置するカバー部にはフラットな面が形成される。これにより、高い意匠性が実現される。
【００１４】
前記溝部は、前記カバー部の側面上において、前記カバー部の中心軸方向に離間された複数の箇所に設けられており、
それぞれの前記溝部が、相互に離間した状態で前記カバー部の中心軸を囲むように周方向に延伸しているものとしても構わない。
【００１５】
カバー部が複数の溝部を設けることで、カバー部の折り返し態様が種々可能となる。これにより、装置自体の形状や照明の態様に関して、更に高い自由度を持たせることができる。また、複数の溝部を離間して配置したことで、カバー部を折り返す際の位置決めを容易化できる。
【００１６】
前記カバー部は、当該カバー部の中心軸方向に関して前記灯具から最も離れた位置に設けられた前記溝部の延伸方向に沿った線を基準として折り返されると、折り返されることで外側に露出された側面によって全ての前記溝部が覆われるものとしても構わない。
【００１７】
特に、溝部がカバー部の外側の面にのみ設けられている場合、カバー部の折り返しが解除されている状態において、目視によりカバー部の外側の面に溝部が確認される。上記の構成の下で、カバー部を中心軸方向に関して灯具から最も離れた位置に設けられた溝部を基準として折り返すことで、溝部を完全に隠しながら、照明態様を変化させることができる。
【００１８】
前記カバー部は、当該カバー部の折り返しを解除した状態において、
前記中心軸方向に変位しても内径が実質的に同一な中空部を有する第一領域と、
前記第一領域と連結し、前記中心軸方向に関して前記第一領域から最も遠い位置における内径が、前記第一領域の内径よりも大きい中空部を有する第二領域とを有し
前記灯具は、前記ＬＥＤ素子を含むＬＥＤモジュールで構成され、前記カバー部の前記第一領域に位置する中空部内に固定的に収容されているものとしても構わない。
【００１９】
上記構成によれば、ＬＥＤモジュールで構成された灯具が固定的に収容されるため、発光箇所が安定化する。また、第一領域に位置する中空部に収容されたＬＥＤモジュールから、当該ＬＥＤモジュールを覆うカバー部に向けて発せられた光は、このカバー部を透過して外部へと放射される。このとき、カバー部の第一領域が柔らかい照明光源として実現される。
【００２０】
上記ＬＥＤ照明装置は、第一開口面と、前記第一開口面に対向し前記第一開口面よりも内径の大きい第二開口面とを含む中空状のシェード部を有し、
前記カバー部は、前記第二領域において、前記中心軸方向に関して前記第一領域から離れるに連れて中空部の内径が大きくなるように構成されており、
前記シェード部は、
前記灯具から発せられる光の少なくとも一部を反射する材料で構成されており、
前記第一開口面の内径が、前記第一領域に位置する前記カバー部の外径よりも大きく、前記第二領域に位置する前記カバー部の最も大きい外径よりは小さく、
前記第二開口面の内径が、前記第二領域に位置する前記カバー部の最も大きい外径より大きい構成であり、
前記シェード部の内側面が前記カバー部の前記第二領域内の外側面と接触し、前記シェード部と前記カバー部が一体的に保持されているものとしても構わない。
【００２１】
上記構成によれば、灯具から発せられた光のうち、一部の光はカバー部及びシェード部に入射されることなく照明光として照射され、別の一部の光はカバー部を透過して照明光として照射され、更に別の一部の光はカバー部を透過した後にシェード部で反射されて照明光として照射される。つまり、一部の光を間接照明として用いることができる。そして、上述したように、カバー部は溝部の箇所において折り返し可能な構成である。よって、この構成によれば、シェード部を更に設けたことで、カバー部の折り返しの有無や折り返し位置等と相まって、装置自体の形状や照明の態様に関して更に高い自由度を持たせることができる。
【００２２】
前記シェード部の前記第一開口面と前記第二開口面との間の対向する離間距離は、前記カバー部の中心軸方向に関する両端間距離よりも短いものとしても構わない。このとき、カバー部を、相対的にシェード部の第二開口面から第一開口面に向かう方向に挿通させると、外側から見て、カバー部の軸方向に関してシェード部よりもカバー部の一部が突出する態様で安定する。これにより、カバー部を透過した光が横方向へ広がりやすくなり、異なる配光が実現される。また、カバー部がシェード部よりも突出した位置にあることにより、変形を行う際にシェード部を外す作業を行わずにカバー部に触れることができるため、カバー部の折り返し操作を容易に行うことができる。
【００２３】
前記カバー部の折り返しを解除した状態において、前記カバー部を、相対的に前記シェード部の前記第二開口面から前記第一開口面に向かう方向に挿通させると、前記シェード部の内側面が前記カバー部の前記第二領域内の外側面と安定的に接触する状態下において、前記シェード部の外側面によって前記カバー部に設けられた全ての前記溝部が覆われるものとしても構わない。
【００２４】
上記構成によれば、シェード部によってカバー部の外側に設けられた全ての溝部が覆われるため、意匠性が向上する。
【発明の効果】
【００２５】
本発明によれば、照明の程度や照明装置自体の形状を利用者側で変化させることのできる、ＬＥＤ照明装置が実現される。
【図面の簡単な説明】
【００２６】
【図１Ａ】第一実施形態のＬＥＤ照明装置の模式的な斜視図である。
【図１Ｂ】第一実施形態のＬＥＤ照明装置の模式的な平面図である。
【図１Ｃ】第一実施形態のＬＥＤ照明装置の模式的な正面図である。
【図１Ｄ】第一実施形態のＬＥＤ照明装置の模式的な正面図である。
【図２】第一実施形態のＬＥＤ照明装置の一部拡大図である。
【図３Ａ】第一実施形態のＬＥＤ照明装置のカバー部を折り返したときの模式的な正面図の一例である。
【図３Ｂ】第一実施形態のＬＥＤ照明装置のカバー部を折り返したときの模式的な正面図の一例である。
【図３Ｃ】第一実施形態のＬＥＤ照明装置のカバー部を折り返したときの模式的な正面図の一例である。
【図３Ｄ】第一実施形態のＬＥＤ照明装置のカバー部を折り返したときの模式的な正面図の一例である。
【図４】図１Ｃに示すＬＥＤ照明装置の態様と、図３Ｂに示すＬＥＤ照明装置の態様とを比較した図面である
【図５】溝部をカバー部の内側に設けた場合と外側に設けた場合の光り方の違いを説明するための模式図である。
【図６Ａ】第二実施形態のＬＥＤ照明装置の模式的な斜視図である。
【図６Ｂ】第二実施形態のＬＥＤ照明装置の模式的な正面図である。
【図７】第二実施形態のＬＥＤ照明装置のカバー部を折り返したときの模式的な正面図の一例である。
【図８Ａ】第二実施形態のＬＥＤ照明装置の別の模式的な斜視図である。
【図８Ｂ】第二実施形態のＬＥＤ照明装置の別の模式的な正面図である。
【図９】第二実施形態のＬＥＤ照明装置のカバー部を折り返したときの模式的な正面図の別の一例である。
【発明を実施するための形態】
【００２７】
本発明のＬＥＤ照明装置の構成につき、適宜図面を参照して説明する。なお、以下の各図において、図面上の寸法比と実際の寸法比は必ずしも一致しない。
【００２８】
［第一実施形態］
ＬＥＤ照明装置の第一実施形態の構成につき、説明する。
【００２９】
図１Ａ〜図１Ｄは、第一実施形態のＬＥＤ照明装置１の模式的な外観図である。図１ＡはＬＥＤ照明装置１の斜視図に対応し、図１ＢはＬＥＤ照明装置１を底面から見た時の平面図に対応する。図１ＣはＬＥＤ照明装置１の模式的な正面図に対応する。図１Ｄは、図１Ｃに示す正面図に加えて、隠れている要素の一部を破線で示した図面である。
【００３０】
ＬＥＤ照明装置１は、灯具１０と、この灯具１０を覆うように配置された中空状のカバー部２０とを有する。図１Ｄに模式的に示すように、灯具１０はカバー部２０の内側に配置されている。本実施形態では、灯具１０はＬＥＤ素子を含むＬＥＤモジュールで構成されている。
【００３１】
カバー部２０は、灯具１０から発せられる光の少なくとも一部を透過することのできる材料で構成されている。更に、カバー部２０は、外力が与えられることで変形可能な、弾性力を有する材料で構成されている。一例として、カバー部２０は、シリコン樹脂の他、天然ゴム、合成天然ゴム、ブタジエンゴム、クロロプレンゴム、ウレタンゴム、エチレンプロピレンゴムといったゴム素材などで構成される。
【００３２】
図１Ａ〜図１Ｄに示すように、カバー部２０は、カバー部２０の中心軸２２を囲むように周方向２３に延伸して設けられた溝部２１を有する。本実施形態では、カバー部２０が、複数の溝部（２１ａ，２１ｂ，２１ｃ，２１ｄ）を有する場合について説明する。なお、ＬＥＤ照明装置１は、カバー部２０に形成された溝部２１の数について限定されない。以下では、各溝部（２１ａ，２１ｂ，２１ｃ，２１ｄ）を総称して「溝部２１」と記載することがある。
【００３３】
本実施形態におけるＬＥＤ照明装置１は、カバー部２０に設けられたそれぞれの溝部（２１ａ，２１ｂ，２１ｃ，２１ｄ）が、カバー部２０の中心軸２２の方向に関して相互に離間して配置されている。つまり、それぞれの溝部（２１ａ，２１ｂ，２１ｃ，２１ｄ）は、相互に離間した状態で周方向２３に延伸している。
【００３４】
本実施形態におけるＬＥＤ照明装置１が備えるカバー部２０は、第一領域２５と第二領域２６とを有している（図１Ｃ参照）。第一領域２５は、中心軸２２の方向に変位しても内径が実質的に同一な中空部を有する。第二領域２６は、第一領域２５と連結されており、第一領域２５から離れるに連れて内径が大きくなるような中空部を有している。ただし、この形状はあくまで一例に過ぎない。例えば、第二領域２６に設けられた中空部に関し、第一領域２５から最も離れた位置の内径が、第一領域２５に最も近い位置の内径よりも大きい構成であり、その間の位置において、第一領域２５に近い側の内径が第一領域２５から遠い側の内径よりも大きくなる部分を有していても構わない。
【００３５】
本実施形態のＬＥＤ照明装置１は、カバー部２０の第一領域２５側の中空部内に灯具１０が収容されている。前述したように、灯具１０はＬＥＤモジュールで構成されているため、第一領域２５内の中空部の内径を適宜設計することで、灯具１０を第一領域２５内において安定的に保持することが可能である。
【００３６】
本実施形態のＬＥＤ照明装置１は、カバー部２０において、第一領域２５に近い側から順に、溝部２１ａ，２１ｂ，２１ｃ，２１ｄが設けられている。つまり、これらの溝部（２１ａ，２１ｂ，２１ｃ，２１ｄ）が延伸することで構成される周の径は、溝部２１ａ，２１ｂ，２１ｃ，２１ｄの順に大きくなっている。
【００３７】
本実施形態のＬＥＤ照明装置１は、カバー部２０の面のうち、外側の面に溝部２１が設けられている。図２は、図１Ｄ内において破線で囲まれた領域Ａを拡大した模式的な図面である。カバー部２０の外側面において、延伸方向に沿って見た時にＲ形状を示す溝部２１が形成されている。
【００３８】
本実施形態のＬＥＤ照明装置１は、カバー部２０の第一領域２５の側に連結された配線収容部３１を有する。例えば、ＬＥＤ照明装置１を天井から吊り下げて使用される場合、天井側に設けられた電源供給部と、第一領域２５内に収容されている灯具１０とを電気的に接続するための配線が、配線収容部３１内に設けられる。
【００３９】
本実施形態のＬＥＤ照明装置１は、溝部２１においてカバー部２０の折り返しが可能な構成である。図３Ａ〜図３Ｄは、異なる溝部２１でカバー部２０を折り返したときのＬＥＤ照明装置１の正面図を模式的に示したものである。
【００４０】
図３Ａは、図１Ｃの状態から溝部２１ｄの位置でカバー部２０を外側に折り返したときの図面に対応する。図３Ｂは、図１Ｃの状態から溝部２１ｃの位置でカバー部２０を折り返したときの図面に対応する。図３Ｃは、図１Ｃの状態から溝部２１ｂの位置でカバー部２０を折り返したときの図面に対応する。図３Ｄは、図１Ｃの状態から溝部２１ｄ及び溝部２１ｂの位置でカバー部２０を折り返したときの図面に対応する。なお、図３Ａに示すように、本実施形態のＬＥＤ照明装置１は、図１Ｃの状態から、灯具１０から最も離れた位置に配置されている溝部２１ｄでカバー部２０を外側に折り返したとき、折り返されたカバー部２０の面によって、他の溝部（２１ａ，２１ｂ，２１ｃ）が隠されるような構成である。ただし、この構成はあくまで一例である。
【００４１】
このように、ＬＥＤ照明装置１は、カバー部２０を溝部２１において折り返すことが可能な構成であるため、灯具１０から放射される光の向きや強度を、当該カバー部２０の形状に応じて変化させることが可能である。図４は、図１Ｃに示す態様（ａ）と、図３Ｂに示す態様（ｂ）とを比較した図面である。カバー部２０を折り返すことにより、カバー部２０の灯具１０とは反対側に位置する開口面と灯具１０との距離が縮まり、光の広がり方が変化する。
【００４２】
つまり、本実施形態のＬＥＤ照明装置１は、カバー部２０の折り返しの有無や、折り返しの位置によって、照明の態様及び照明装置自体の形状を自在に変化させることができる。これにより、利用者が求める利用態様に応じた使い方が可能となり、自由度の高い照明装置が実現される。
【００４３】
なお、上述したように、本実施形態のＬＥＤ照明装置１では、カバー部２０に設けられている溝部２１が、延伸方向に沿って見た時にＲ形状を示す形状を有する。これにより、溝部１の延伸方向に沿った線を基準としてカバー部２０が折り返された場合に、折り返し時に生じる応力が、折り返された曲面に沿って分散される。この結果、カバー部２０が繰り返し折り返された場合であっても、溝部２０の箇所において高い負荷がかかることが抑制されるため、耐久面での問題が生じにくい。
【００４４】
また、本実施形態のＬＥＤ照明装置１は、カバー部２０のうち、外側、すなわち灯具１０とは反対側に位置する面に溝部２１が設けられている。これにより、内側に溝部２１が設けられる場合に比べて、カバー部２０の面上に影が現れにくくなる。図５は、このことを模式的に示した図面である。
【００４５】
図５において、（ａ）は溝部２１を灯具１０の反対側の面に設けた場合に対応する図面であり、本実施形態の構成である。また、（ｂ）は溝部２１を灯具１０と同じ側の面に設けた場合に対応する図面である。図５（ｂ）の場合、灯具１０から放射された光Ｌが、溝部２１のエッジ部分に照射されることで影の領域４２が形成され、この影の領域４２がカバー部２０に映り込む。この結果、カバー部１０において、明るい領域４１と影の領域４２とが形成されてしまう。これに対し、図５（ａ）の場合、灯具１０から放射された光Ｌは、溝部２１のエッジ部に照射されることがないため、カバー部２０には影の領域４２が全く又はほとんど形成されず、明るい領域４１のみが形成される。
【００４６】
なお、上述したように、カバー部２０は、灯具１０から放射される光の一部を透過させることのできる材料で構成されている。このため、本実施形態の構成によれば、カバー部２０のうち、第一領域２５の一部の箇所において、カバー部２０自体が柔らかい光で照明される。
【００４７】
［第二実施形態］
ＬＥＤ照明装置の第二実施形態の構成につき、第一実施形態と異なる箇所を中心に説明する。
【００４８】
図６Ａ及び図６Ｂは、第二実施形態のＬＥＤ照明装置１の模式的な外観図である。図６Ａは斜視図であり、図６Ｂは正面図である。なお、図６Ｂでは、説明の都合上、隠れている部分についても一部破線で図示している。第二実施形態のＬＥＤ照明装置１は、第一実施形態と比較してシェード部３０を更に備えている点が異なる。このシェード部３０は、灯具１０から放射される光の一部を反射する材料で構成されており、例えば、金属材、セラミックス材、樹脂材、ガラス材、又は木材などを用いることができる。
【００４９】
シェード部３０は、対向して配置された２つの開口面を有する中空形状を示す。本実施形態では、これらの開口面は、面積が異なっており、以下では、面積の小さい側を第一開口面と呼び、面積の大きい側を第二開口面と呼ぶ。すなわち、図６Ｂに示すように、シェード部３０の第一開口面の内径をＤ１は、第二開口面の内径をＤ２よりも小さい。
【００５０】
図６Ａ及び図６Ｂに示すＬＥＤ照明装置１は、カバー部２０の溝部２１での折り返しが解除された状態の下で、カバー部２０の第一領域２５側を、相対的にシェード部３０の第二開口面から第一開口面に向かう方向に挿通させた状態に対応する。ここで、カバー部２０において、第一領域２５の外径Ｃ１は、第二領域２６の最も大きい外径Ｃ２よりも小さい。そして、シェード部３０の第一開口面の内径Ｄ１は、カバー部２０の第一領域２５の外径Ｃ１よりは大きい。また、シェード部３０の第二開口面の内径Ｄ２は、カバー部２０の第二領域２６の外径Ｃ２よりは小さい。このため、図６Ａ及び図６Ｂに示されるように、シェード部３０は、カバー部２０の第二領域２６内の途中の箇所において当該シェード部３０の内側面とカバー部２０の外側面が接触し、この位置で安定化される。
【００５１】
本実施形態の構成においても、カバー部２０を任意の溝部２１を基準として折り返しても構わない。一例として、図７に、溝部２１ｄにおいてカバー部２０を折り返した場合における正面図が図示されている。なお、第一実施形態で説明したように、他の溝部で折り返すことも可能である。
【００５２】
本実施形態のＬＥＤ照明装置によれば、灯具１０から光が発せられると、第一実施形態のＬＥＤ照明装置１の場合に生じる光に加えて、シェード部３０で反射された光も照明光として用いられる。よって、シェード部３０の有無によって、更に照明の態様及び照明装置自体の形状を自在に変化させることができる。
【００５３】
なお、本実施形態において、カバー部２０の第一領域２５側を、相対的にシェード部３０の第一開口面から第二開口面に向かう方向に挿通させることで、シェード部３０を備え付けるものとしても構わない。図８Ａはこの場合における斜視図であり、図８Ｂは正面図である。つまり、この構成は、図６Ａ及び図６Ｂに示した構成と比較して、シェード部３０の上下を反転させた構成に対応する。このような態様とした場合、灯具１０から放射され、シェード部３０で反射された光は、図６Ａ及び図６Ｂの場合よりも拡散して進行する。つまり、カバー部２０にシェード部３０を取り付ける際、シェード部３０の取り付ける向きを反転させることによっても、更に照明の態様及び照明装置自体の形状を自在に変化させることができる。
【００５４】
なお、図８Ａ及び図８Ｂに示すような態様の場合であっても、カバー部２０を任意の溝部２１を基準として折り返しても構わない。一例として、図９に、溝部２１ｄにおいてカバー部２０を折り返した場合における正面図が図示されている。なお、第一実施形態で説明したように、他の溝部で折り返すことも可能である。
【００５５】
［別実施形態］
以下、別実施形態につき説明する。
【００５６】
上述した実施形態では、カバー部２０の外側の面に溝部２１が設けられる構成としたが、カバー部２０の内側の面に溝部２１が設けられた構成を本発明から排除する趣旨ではない。また、溝部２１の形状や数についても、上述した実施形態の構成はあくまで一例である。
【００５７】
上述した実施形態では、灯具１０がＬＥＤモジュールで構成されている場合について説明したが、灯具１０がＬＥＤ電球で構成されているものを本発明から排除する趣旨ではない。
【符号の説明】
【００５８】
１      ：    ＬＥＤ照明装置
１０      ：    灯具
２０      ：    カバー部
２１      ：    溝部
２１ａ，２１ｂ，２１ｃ，２１ｄ      ：    溝部
２２      ：    カバー部の中心軸
２３      ：    カバー部の周方向
２５      ：    カバー部の第一領域
２６      ：    カバー部の第二領域
３０      ：    シェード部
３１      ：    配線収容部
４１      ：    明るい領域
４２      ：    影の領域
【図１Ａ】
0006677904.tif 000002
【図１Ｂ】
0006677904.tif 000003
【図１Ｃ】
0006677904.tif 000004
【図１Ｄ】
0006677904.tif 000005
【図２】
0006677904.tif 000006
【図３Ａ】
0006677904.tif 000007
【図３Ｂ】
0006677904.tif 000008
【図３Ｃ】
0006677904.tif 000009
【図３Ｄ】
0006677904.tif 000010
【図４】
0006677904.tif 000011
【図５】
0006677904.tif 000012
【図６Ａ】
0006677904.tif 000013
【図６Ｂ】
0006677904.tif 000014
【図７】
0006677904.tif 000015
【図８Ａ】
0006677904.tif 000016
【図８Ｂ】
0006677904.tif 000017
【図９】
0006677904.tif 000018